(57)【特許請求の範囲】
【請求項１】
第１無線基地局と、前記第１無線基地局よりも電波の送信電力が小さい第２無線基地局とを含む複数の無線基地局と、
干渉抑圧合成を実行可能である第１移動通信端末と、干渉抑圧合成を実行不可能である第２移動通信端末とを含み、各々が前記無線基地局のいずれかとの間で電波を送受信して無線通信を実行可能な複数の移動通信端末と、
前記各移動通信端末の無線接続先となる無線基地局を選択する接続先選択部と
を備える無線通信システムであって、
前記第１移動通信端末が、当該第１移動通信端末自身が干渉抑圧合成を実行可能であることを示す情報を含む端末能力情報を前記第１無線基地局に通知する端末能力情報通知部を備え、
前記第２移動通信端末が、当該第２移動通信端末自身が干渉抑圧合成を実行可能であることを示す情報を含まない端末能力情報を前記第１無線基地局に通知する端末能力情報通知部を備え、
前記第１無線基地局は、
前記移動通信端末から通知された端末能力情報に基づいて、当該移動通信端末が第１移動通信端末であるか第２移動通信端末であるかを判定する判定部と、
前記判定部の判定に基づき、第１移動通信端末に対するバイアス値として、前記第１移動通信端末における無線通信の成功確率に応じた第１バイアス値を設定するバイアス値設定部と、
前記第１移動通信端末へ前記第１バイアス値を通知するバイアス値通知部とを備え、
前記第１移動通信端末および前記第２移動通信端末の各々は、
前記第１無線基地局から受信した電波の受信品質を測定して第１受信品質値を取得し、前記第２無線基地局から受信した電波の受信品質を測定して第２受信品質値を取得する受信品質測定部を備え、
前記第１移動通信端末は、
前記第１無線基地局の前記バイアス値通知部から通知された前記第１バイアス値を用いて第２受信品質値を増加させるように補正する受信品質補正部と、
前記受信品質測定部で取得された前記第１受信品質値と前記受信品質補正部で補正された第２受信品質値とを前記接続先選択部に通知する受信品質通知部とを備え、
前記第２移動通信端末は、
前記第１バイアス値よりも低く、前記第２移動通信端末における無線通信の成功確率に依存しない第２バイアス値を用いて第２受信品質値を増加させるように補正する受信品質補正部と、
前記受信品質測定部で取得された前記第１受信品質値と前記受信品質補正部で補正された第２受信品質値とを前記接続先選択部に通知する受信品質通知部とを備え、
前記接続先選択部は、前記受信品質通知部から通知された前記第１受信品質値および前記第２受信品質値のうち、最も良好な受信品質を示す受信品質値に対応する無線基地局を当該移動通信端末の無線接続先として選択する
無線通信システム。
【請求項２】
前記第１無線基地局の前記バイアス値設定部は、前記判定部の判定に基づき、前記第２移動通信端末に対するバイアス値として前記第１バイアス値よりも低い第２バイアス値を設定し、
前記第１無線基地局の前記バイアス値通知部は、前記第２移動通信端末へ前記第２バイアス値を通知し、
前記第２移動通信端末の前記受信品質補正部は、前記第１無線基地局の前記バイアス値通知部から通知された前記第２バイアス値を用いて前記第２受信品質値を補正する
請求項１の無線通信システム。
【請求項３】
前記第1無線基地局が前記接続先選択部を備える
請求項１または２の無線通信システム。
【請求項４】
前記第１移動通信端末および前記第２移動通信端末の各々が前記接続先選択部を備える
請求項１または２の無線通信システム。
【請求項５】
第１無線基地局と、前記第１無線基地局よりも電波の送信電力が小さい第２無線基地局とを含む複数の無線基地局と、
干渉抑圧合成を実行可能である第１移動通信端末と、干渉抑圧合成を実行不可能である第２移動通信端末とを含み、各々が前記無線基地局のいずれかとの間で電波を送受信して無線通信を実行可能であり、各々が前記各無線基地局から受信した電波の受信品質を測定して通知することが可能な複数の移動通信端末と、
を備える無線通信システムにおける第１無線基地局であって、
前記第１無線基地局は、
前記移動通信端末から通知された当該移動通信端末の端末能力情報に基づいて、当該移動通信端末が第１移動通信端末であるか第２移動通信端末であるかを判定する判定部と、
前記判定部の判定に基づき、第１移動通信端末に対するバイアス値として、前記第１移動通信端末における無線通信の成功確率に応じた第１バイアス値を設定し、前記判定部の判定に基づき、前記第２移動通信端末に対するバイアス値として、前記第１バイアス値よりも低く前記第２移動通信端末における無線通信の成功確率に依存しない第２バイアス値を設定するバイアス値設定部と、
前記第１移動通信端末へ、当該第１移動通信端末にて測定された第２無線基地局からの電波の受信品質を増加させるように補正するための前記第１バイアス値を通知し、前記第２移動通信端末へ、当該第２移動通信端末にて測定された第２無線基地局からの電波の受信品質を増加させるように補正するための前記第２バイアス値を通知するバイアス値通知部とを備える
無線基地局。
【請求項６】
前記第１移動通信端末および前記第２移動通信端末の各々から通知された受信品質のうち、最も良好な受信品質に対応する無線基地局を当該移動通信端末の無線接続先として選択する接続先選択部をさらに備える
請求項５の無線基地局。
【請求項７】
第１無線基地局と、前記第１無線基地局よりも電波の送信電力が小さい第２無線基地局とを含む複数の無線基地局と、
干渉抑圧合成を実行可能である第１移動通信端末と、干渉抑圧合成を実行不可能である第２移動通信端末とを含み、各々が前記無線基地局のいずれかとの間で電波を送受信して無線通信を実行可能な複数の移動通信端末と
を備える無線通信システムにおける第１移動通信端末であって、
自身が干渉抑圧合成を実行可能であることを示す端末能力情報を前記第１無線基地局に通知する端末能力情報通知部と、
前記第１無線基地局から受信した電波の受信品質を測定して第１受信品質値を取得し、前記第２無線基地局から受信した電波の受信品質を測定して第２受信品質値を取得する受信品質測定部と、
当該第１移動通信端末における無線通信の成功確率に応じて設定され前記第１無線基地局から通知される第１バイアス値を用いて、前記第２受信品質値を増加させるように補正する受信品質補正部を備え、
前記第１バイアス値は、前記第１無線基地局から通知される値であって、前記第２移動通信端末に対する第２バイアス値よりも高い値であり、
前記第２バイアス値は、前記第２移動通信端末における無線通信の成功確率に依存しない値である
移動通信端末。
【請求項８】
前記受信品質測定部で取得された前記第１受信品質値と前記受信品質補正部で補正された前記第２受信品質値とのうち、最も良好な受信品質を示す受信品質値に対応する無線基地局を当該移動通信端末の無線接続先として選択する接続先選択部をさらに備える
請求項７の移動通信端末。
【請求項９】
第１無線基地局と、前記第１無線基地局よりも電波の送信電力が小さい第２無線基地局とを含む複数の無線基地局と、
干渉抑圧合成を実行可能である第１移動通信端末と、干渉抑圧合成を実行不可能である第２移動通信端末とを含み、各々が前記無線基地局のいずれかとの間で電波を送受信して無線通信を実行可能な複数の移動通信端末と
前記各移動通信端末の無線接続先となる無線基地局を選択する接続先選択部と
を備える無線通信システムにおける通信制御方法であって、
前記第１移動通信端末が、当該第１移動通信端末自身が干渉抑圧合成を実行可能であることを示す情報を含む端末能力情報を前記第１無線基地局に通知することと、
前記第２移動通信端末が、当該第２移動通信端末自身が干渉抑圧合成を実行可能であることを示す情報を含まない端末能力情報を前記第１無線基地局に通知することと、
前記第１無線基地局が、前記移動通信端末から通知された端末能力情報に基づいて、当該移動通信端末が第１移動通信端末であるか第２移動通信端末であるかを判定することと、判定に基づき、第１移動通信端末に対するバイアス値として前記第１移動通信端末における無線通信の成功確率に応じた第１バイアス値を設定することと、前記第１移動通信端末へ前記第１バイアス値を通知することと、
前記第１移動通信端末および前記第２移動通信端末の各々が、前記第１無線基地局から受信した電波の受信品質を測定して第１受信品質値を取得し、前記第２無線基地局から受信した電波の受信品質を測定して第２受信品質値を取得することと、
前記第１移動通信端末が、前記第１無線基地局から通知された前記第１バイアス値を用いて第２受信品質値を増加させるように補正することと、取得した前記第１受信品質値と補正した第２受信品質値とを前記接続先選択部に通知することと、
前記第２移動通信端末が、前記第１バイアス値よりも低く、前記第２移動通信端末における無線通信の成功確率に依存しない第２バイアス値を用いて第２受信品質値を増加させるように補正することと、取得した前記第１受信品質値と補正した第２受信品質値とを前記接続先選択部に通知することと、
前記接続先選択部が、通知された前記第１受信品質値および前記第２受信品質値のうち、最も良好な受信品質を示す受信品質値に対応する無線基地局を当該移動通信端末の無線接続先として選択すること
とを備える通信制御方法。
【発明の詳細な説明】
【技術分野】
【０００１】
本発明は、無線通信システム、無線基地局、移動通信端末、および通信制御方法に関する。
【背景技術】
【０００２】
近年、送信電力（送信能力）が相異なる複数種の無線基地局（マクロ基地局、ピコ基地局、フェムト基地局、リモートラジオヘッド（Remote Radio Head）等）を重層的に設置したヘテロジーニアスネットワーク（Heterogeneous Network，HetNet）が提案されている。ヘテロジーニアスネットワークにおいては、送信電力（送信能力）の大きい基地局（例えばマクロ基地局）の方が、送信電力（送信能力）の小さい基地局（例えばピコ基地局）と比較して、セルサーチまたはハンドオーバの段階でユーザ端末の無線接続先として選択されやすい。したがって、送信電力の大きい基地局にユーザ端末からの接続が集中し、ひいては通信負荷が過大となる傾向がある。
【先行技術文献】
【特許文献】
【０００３】
【特許文献１】特開２００７−５１４３６７号公報
【発明の概要】
【発明が解決しようとする課題】
【０００４】
特許文献１には、無線通信システムの負荷、トラヒック量等の通信環境に応じて通信セル境界を変化させ、ユーザ端末の接続先を制御する技術が開示されている。例えば、マクロセル基地局に接続するユーザ端末に対するマイクロセル基地局からの干渉電力の増大に応じて、マイクロセル基地局の通信セル境界（セルの範囲）が狭められる（すなわち、ユーザ端末が、マイクロセル基地局からの送信電力から所定の補正値（バイアス値）を減じる）ことが例示されている。しかしながら、ユーザ端末の通信環境が同じであっても、そのユーザ端末が有する機能によっては、そのユーザ端末に対する適切なセル範囲は異なる可能性がある。
【０００５】
以上の事情に鑑み、本発明は、送信電力（送信能力）が相異なる複数種の無線基地局を含む無線通信システムにおいて、各ユーザ端末の有する機能に応じて適切なセル範囲を設定し、各ユーザ端末の無線接続先を適切に選択することを可能とすることを目的とする。
【課題を解決するための手段】
【０００６】
本発明の無線通信システムは、第１無線基地局と、前記第１無線基地局よりも電波の送信電力が小さい第２無線基地局とを含む複数の無線基地局と、干渉抑圧合成を実行可能である第１移動通信端末と、干渉抑圧合成を実行不可能である第２移動通信端末とを含み、各々が前記無線基地局のいずれかとの間で電波を送受信して無線通信を実行可能な複数の移動通信端末と、前記各移動通信端末の無線接続先となる無線基地局を選択する接続先選択部とを備える無線通信システムであって、前記第１移動通信端末が、当該第１移動通信端末自身が干渉抑圧合成を実行可能であることを示す情報を含む端末能力情報を前記第１無線基地局に通知する端末能力情報通知部を備え、前記第２移動通信端末が、当該第２移動通信端末自身が干渉抑圧合成を実行可能であることを示す情報を含まない端末能力情報を前記第１無線基地局に通知する端末能力情報通知部を備え、前記第１無線基地局は、前記移動通信端末から通知された端末能力情報に基づいて、当該移動通信端末が第１移動通信端末であるか第２移動通信端末であるかを判定する判定部と、前記判定部の判定に基づき、第１移動通信端末に対するバイアス値として、前記第１移動通信端末における無線通信の成功確率に応じた第１バイアス値を設定するバイアス値設定部と、前記第１移動通信端末へ前記第１バイアス値を通知するバイアス値通知部とを備え、前記第１移動通信端末および前記第２移動通信端末の各々は、前記第１無線基地局から受信した電波の受信品質を測定して第１受信品質値を取得し、前記第２無線基地局から受信した電波の受信品質を測定して第２受信品質値を取得する受信品質測定部を備え、前記第１移動通信端末は、前記第１無線基地局の前記バイアス値通知部から通知された前記第１バイアス値を用いて第２受信品質値を増加させるように補正する受信品質補正部と、前記受信品質測定部で取得された前記第１受信品質値と前記受信品質補正部で補正された第２受信品質値とを前記接続先選択部に通知する受信品質通知部とを備え、前記第２移動通信端末は、前記第１バイアス値よりも低く、前記第２移動通信端末における無線通信の成功確率に依存しない第２バイアス値を用いて第２受信品質値を増加させるように補正する受信品質補正部と、前記受信品質測定部で取得された前記第１受信品質値と前記受信品質補正部で補正された第２受信品質値とを前記接続先選択部に通知する受信品質通知部とを備え、前記接続先選択部は、前記受信品質通知部から通知された前記第１受信品質値および前記第２受信品質値のうち、最も良好な受信品質を示す受信品質値に対応する無線基地局を当該移動通信端末の無線接続先として選択する。
以上の構成において、「バイアス値を用いて受信品質値を補正する」ことは、「０であるバイアス値を用いて受信品質値を補正する」こと、すなわち受信品質値を補正しないことをも包摂する概念である。第１バイアス値よりも第２バイアス値が低いことから、値が０となり得るのは第２バイアス値である。
【０００７】
以上の構成によれば、第１無線基地局から受信した電波の第１受信品質値と、干渉抑圧合成の実行可否に応じて設定されるバイアス値を用いて補正された第２受信品質値とに基づいて、接続先選択部が、当該移動通信端末が接続すべき無線基地局を選択するから、バイアス値による補正がされない構成と比較して、移動通信端末の無線接続先として第２無線基地局が選択される（移動通信端末が第２無線基地局にオフロードされる）ケースが増大し得る。また、第１バイアス値は、無線通信の成功確率に応じて適切に設定される。
さらに、干渉抑圧合成を実行可能な第１移動通信端末にて用いられる第１バイアス値が、干渉抑圧合成を実行不可能な第２移動通信端末にて用いられる第２バイアス値を上回るから、第１移動通信端末の無線接続先として第２無線基地局が選択されるケースが増大し得る。
【０００８】
本発明の好適な態様において、前記第１無線基地局の前記バイアス値設定部は、前記判定部の判定に基づき、前記第２移動通信端末に対するバイアス値として前記第１バイアス値よりも低い第２バイアス値を設定し、前記第１無線基地局の前記バイアス値通知部は、前記第２移動通信端末へ前記第２バイアス値を通知し、前記第２移動通信端末の前記受信品質補正部は、前記第１無線基地局の前記バイアス値通知部から通知された前記第２バイアス値を用いて前記第２受信品質値を補正する。
以上の構成によれば、第１無線基地局が、第１バイアス値だけでなく第２バイアス値をも設定し通知する。
【００１１】
本発明の好適な態様において、前記第1無線基地局が前記接続先選択部を備える。
以上の構成によれば、第１無線基地局が移動通信端末の無線接続先を選択し得る。
【００１２】
本発明の好適な態様において、前記第１移動通信端末および前記第２移動通信端末の各々が前記接続先選択部を備える。
以上の構成によれば、各移動通信端末が自身の無線接続先を選択し得る。
【００１３】
本発明の無線基地局は、第１無線基地局と、前記第１無線基地局よりも電波の送信電力が小さい第２無線基地局とを含む複数の無線基地局と、干渉抑圧合成を実行可能である第１移動通信端末と、干渉抑圧合成を実行不可能である第２移動通信端末とを含み、各々が前記無線基地局のいずれかとの間で電波を送受信して無線通信を実行可能であり、各々が前記各無線基地局から受信した電波の受信品質を測定して通知することが可能な複数の移動通信端末と、を備える無線通信システムにおける第１無線基地局であって、前記第１無線基地局は、前記移動通信端末から通知された当該移動通信端末の端末能力情報に基づいて、当該移動通信端末が第１移動通信端末であるか第２移動通信端末であるかを判定する判定部と、前記判定部の判定に基づき、第１移動通信端末に対するバイアス値として、前記第１移動通信端末における無線通信の成功確率に応じた第１バイアス値を設定し、前記判定部の判定に基づき、前記第２移動通信端末に対するバイアス値として、前記第１バイアス値よりも低く前記第２移動通信端末における無線通信の成功確率に依存しない第２バイアス値を設定するバイアス値設定部と、前記第１移動通信端末へ、当該第１移動通信端末にて測定された第２無線基地局からの電波の受信品質を増加させるように補正するための前記第１バイアス値を通知し、前記第２移動通信端末へ、当該第２移動通信端末にて測定された第２無線基地局からの電波の受信品質を増加させるように補正するための前記第２バイアス値を通知するバイアス値通知部とを備える。
【００１７】
本発明の好適な態様において、無線基地局は、前記第１移動通信端末および前記第２移動通信端末の各々から通知された受信品質のうち、最も良好な受信品質に対応する無線基地局を当該移動通信端末の無線接続先として選択する接続先選択部をさらに備える。
【００１８】
本発明の移動通信端末は、第１無線基地局と、前記第１無線基地局よりも電波の送信電力が小さい第２無線基地局とを含む複数の無線基地局と、干渉抑圧合成を実行可能である第１移動通信端末と、干渉抑圧合成を実行不可能である第２移動通信端末とを含み、各々が前記無線基地局のいずれかとの間で電波を送受信して無線通信を実行可能な複数の移動通信端末とを備える無線通信システムにおける第１移動通信端末であって、自身が干渉抑圧合成を実行可能であることを示す端末能力情報を前記第１無線基地局に通知する端末能力情報通知部と、前記第１無線基地局から受信した電波の受信品質を測定して第１受信品質値を取得し、前記第２無線基地局から受信した電波の受信品質を測定して第２受信品質値を取得する受信品質測定部と、当該第１移動通信端末における無線通信の成功確率に応じて設定され前記第１無線基地局から通知される第１バイアス値を用いて、前記第２受信品質値を増加させるように補正する受信品質補正部を備え、前記第１バイアス値は、前記第１無線基地局から通知される値であって、前記第２移動通信端末に対する第２バイアス値よりも高い値であり、前記第２バイアス値は、前記第２移動通信端末における無線通信の成功確率に依存しない値である。
【００２０】
本発明の好適な態様において、移動通信端末は、前記受信品質測定部で取得された前記第１受信品質値と前記受信品質補正部で補正された前記第２受信品質値とのうち、最も良好な受信品質を示す受信品質値に対応する無線基地局を当該移動通信端末の無線接続先として選択する接続先選択部をさらに備える。
【００２１】
本発明の通信制御方法は、第１無線基地局と、前記第１無線基地局よりも電波の送信電力が小さい第２無線基地局とを含む複数の無線基地局と、干渉抑圧合成を実行可能である第１移動通信端末と、干渉抑圧合成を実行不可能である第２移動通信端末とを含み、各々が前記無線基地局のいずれかとの間で電波を送受信して無線通信を実行可能な複数の移動通信端末と前記各移動通信端末の無線接続先となる無線基地局を選択する接続先選択部とを備える無線通信システムにおける通信制御方法であって、前記第１移動通信端末が、当該第１移動通信端末自身が干渉抑圧合成を実行可能であることを示す情報を含む端末能力情報を前記第１無線基地局に通知することと、前記第２移動通信端末が、当該第２移動通信端末自身が干渉抑圧合成を実行可能であることを示す情報を含まない端末能力情報を前記第１無線基地局に通知することと、前記第１無線基地局が、前記移動通信端末から通知された端末能力情報に基づいて、当該移動通信端末が第１移動通信端末であるか第２移動通信端末であるかを判定することと、判定に基づき、第１移動通信端末に対するバイアス値として前記第１移動通信端末における無線通信の成功確率に応じた第１バイアス値を設定することと、前記第１移動通信端末へ前記第１バイアス値を通知することと、前記第１移動通信端末および前記第２移動通信端末の各々が、前記第１無線基地局から受信した電波の受信品質を測定して第１受信品質値を取得し、前記第２無線基地局から受信した電波の受信品質を測定して第２受信品質値を取得することと、前記第１移動通信端末が、前記第１無線基地局から通知された前記第１バイアス値を用いて第２受信品質値を増加させるように補正することと、取得した前記第１受信品質値と補正した第２受信品質値とを前記接続先選択部に通知することと、前記第２移動通信端末が、前記第１バイアス値よりも低く、前記第２移動通信端末における無線通信の成功確率に依存しない第２バイアス値を用いて第２受信品質値を増加させるように補正することと、取得した前記第１受信品質値と補正した第２受信品質値とを前記接続先選択部に通知することと、前記接続先選択部が、通知された前記第１受信品質値および前記第２受信品質値のうち、最も良好な受信品質を示す受信品質値に対応する無線基地局を当該移動通信端末の無線接続先として選択することとを備える。
【図面の簡単な説明】
【００２２】
【図１】本発明の実施形態に係る無線通信システムを示すブロック図である。
【図２】本発明の実施形態に係るＩＲＣ端末の構成を示すブロック図である。
【図３】本発明の実施形態に係る非ＩＲＣ端末の構成を示すブロック図である。
【図４】本発明の実施形態に係るマクロ基地局の構成を示すブロック図である。
【図５】本発明の実施形態に係るピコ基地局の構成を示すブロック図である。
【図６】前記無線通信システムにおける受信電力値の補正動作を示す図である。
【図７】ＩＲＣ端末から見た前記補正によるピコセルの範囲の拡張を示す図である。
【図８】非ＩＲＣ端末から見た前記補正によるピコセルの範囲の拡張を示す図である。
【図９】本発明の実施形態に係る受信電力値の補正動作の説明図である。
【図１０】本発明の変形例に係るＩＲＣ端末の構成を示すブロック図である。
【図１１】本発明の変形例に係る非ＩＲＣ端末の構成を示すブロック図である。
【発明を実施するための形態】
【００２３】
実施の形態
図１は、本発明の実施形態に係る無線通信システム１のブロック図である。無線通信システム１は、マクロ基地局（マクロｅＮｏｄｅＢ（evolved Node B））１００と、ピコ基地局（ピコｅＮｏｄｅＢ）２００と、干渉抑圧合成（Interference Rejection Combining，ＩＲＣ）を実行可能であるＩＲＣ端末３００と、干渉抑圧合成を実行不可能である非ＩＲＣ端末４００とを備える。なお、以下において、ＩＲＣ端末３００と非ＩＲＣ端末４００とを併せて「ユーザ端末（User Equipment）ＵＥ」と称する場合がある。
【００２４】
干渉抑圧合成とは、3GPP（Third Generation Partnership Project）におけるLTE（Long Term Evolution） Advancedにおいて検討されているユーザ端末ＵＥの受信技術であり、無線基地局からユーザ端末ＵＥへの下りリンク通信に関して、在圏基地局（所望基地局）からの所望電波ビームに対する干渉基地局からの干渉電波ビームの干渉を、ユーザ端末ＵＥにおいて抑圧する（reject）ように、ユーザ端末ＵＥにおいて各受信アンテナで得られる信号に重み付けを与える技術である。干渉抑圧合成については、例えば、特表2000-511370号公報およびR1-111031, 3GPP TSG RAN WG1 Meeting #64, Taipei, Taiwan, 21st - 25th February 2011, Agenda item: 6.3.1.3, Source: Nokia, Nokia Siemens Networks, Title: "On advanced UE MMSE receiver modeling in system simulations", Document for: Discussion and Decisionに記載されている。
【００２５】
無線通信システム１内の各通信要素（マクロ基地局１００、ピコ基地局２００、ＩＲＣ端末３００、非ＩＲＣ端末４００等）は所定の無線アクセス技術（Radio Access Technology）、例えばＬＴＥに従って無線通信を行う。本実施形態では、無線通信システム１がＬＴＥに従って動作する形態を例示して説明するが、本発明の技術的範囲を限定する趣旨ではない。本発明は、必要な設計上の変更を施した上で、他の無線アクセス技術にも適用可能である。
【００２６】
マクロ基地局１００とピコ基地局２００とは有線または無線にて相互に接続される。マクロ基地局１００はマクロセルＣｍを形成し、ピコ基地局２００はピコセルＣｐを形成する。ピコセルＣｐは、そのピコセルＣｐを形成するピコ基地局２００に接続されたマクロ基地局１００が形成するマクロセルＣｍ内に形成されるセルＣである。１つのマクロセルＣｍ内には、複数のピコセルＣｐが形成され得る。
【００２７】
各無線基地局（マクロ基地局１００，ピコ基地局２００）は、その基地局自身のセルＣに在圏するユーザ端末ＵＥと無線通信が可能である。逆に言うと、ユーザ端末ＵＥは、ユーザ端末ＵＥ自身が在圏するセルＣ（マクロセルＣｍ，ピコセルＣｐ）に対応する基地局（マクロ基地局１００，ピコ基地局２００）と無線通信が可能である。
【００２８】
マクロ基地局１００はピコ基地局２００と比較して無線送信能力（最大送信電力，平均送信電力等）が高いので、より遠くに位置するユーザ端末ＵＥと無線通信可能である。したがって、マクロセルＣｍはピコセルＣｐよりも面積が大きい。例えば、マクロセルＣｍは半径数百メートルから数十キロメートル程度の大きさであり、ピコセルＣｐは半径数メートルから数十メートル程度の大きさである。
【００２９】
以上の説明から理解されるように、無線通信システム１内のマクロ基地局１００およびピコ基地局２００は、送信電力（送信能力）が相異なる複数種の無線基地局が重層的に設置されたヘテロジーニアスネットワーク（Heterogeneous Network，HetNet）を構成する（3rd Generation Partnership Project; Technical Specification Group Radio Access Network; Evolved Universal Terrestrial Radio Access (E-UTRA); Further advancements for E-UTRA physical layer aspects (Release 9); 3GPP TR 36.814 V9.0.0 (2010-03); Section 9A, Heterogeneous Deploymentsを参照のこと）。
【００３０】
ピコセルＣｐがマクロセルＣｍの内部に重層的に形成される（オーバレイされる）ことを考慮すると、ユーザ端末ＵＥがピコセルＣｐ内に在圏する場合、そのユーザ端末ＵＥは、そのピコセルＣｐを形成するピコ基地局２００と、そのピコセルＣｐを包含するマクロセルＣｍを形成するマクロ基地局１００との少なくともいずれか一方と無線通信が可能であると理解できる。
【００３１】
なお、各基地局とユーザ端末ＵＥとの間の無線通信の方式は任意である。例えば、下りリンクではＯＦＤＭＡ（Orthogonal Frequency Division Multiple Access）が採用され、上りリンクではＳＣ−ＦＤＭＡ（Single-Carrier Frequency Division Multiple Access）が採用されてもよい。
【００３２】
図２は、本発明の実施形態に係るＩＲＣ端末３００の構成を示すブロック図である。ＩＲＣ端末３００は無線通信部３１０と制御部３３０とを備える。なお、音声・映像等を出力する出力装置およびユーザからの指示を受け付ける入力装置等の図示は、便宜的に省略されている。
【００３３】
無線通信部３１０は、無線基地局（マクロ基地局１００，ピコ基地局２００）と無線通信を実行するための要素であり、送受信アンテナ３１２と、無線基地局から電波を受信して電気信号に変換する受信回路と、音声信号等の電気信号を電波に変換して送信する送信回路とを含む。また、無線通信部３１０は、ＩＲＣ端末３００が在圏するマクロセルＣｍを形成するマクロ基地局１００から、第１バイアス値αおよび接続先セル情報Ｔを受信するとともに、当該マクロ基地局１００に対して端末能力情報（UE Capability）ＵＣおよび受信電力値Ｒを送信する（詳細は後述される）。
【００３４】
制御部３３０は、端末能力情報通知部３３２、受信品質測定部３３４、受信品質補正部３３６、受信品質通知部３３８、接続部３４０、およびＩＲＣ実行部３４２を要素として内包する。接続部３４０およびＩＲＣ実行部３４２は、下りリンク通信において、無線通信部３１０と協調して前述の干渉抑圧合成を実行し、干渉電力を抑圧することが可能である。制御部３３０の他の動作の詳細は後述される。
制御部３３０ならびに制御部３３０が内包する端末能力情報通知部３３２、受信品質測定部３３４、受信品質補正部３３６、受信品質通知部３３８、接続部３４０、およびＩＲＣ実行部３４２は、ＩＲＣ端末３００内の図示しないＣＰＵ（Central Processing Unit）が、図示しない記憶部に記憶されたコンピュータプログラムを実行し、そのコンピュータプログラムに従って機能することにより実現される機能ブロックである。
【００３５】
図３は、本発明の実施形態に係る非ＩＲＣ端末４００の構成を示すブロック図である。ＩＲＣ端末３００と同様に、非ＩＲＣ端末４００は無線通信部４１０と制御部４３０とを備える。概略的には、ＩＲＣ端末３００と非ＩＲＣ端末４００とはＩＲＣ実行部３４２を有するか否か（すなわち、干渉抑圧合成を実行可能であるか否か）において異なっており、その他の構成については同様である。
【００３６】
無線通信部４１０は、非ＩＲＣ端末４００が在圏するマクロセルＣｍを形成するマクロ基地局１００から、第２バイアス値βおよび接続先セル情報Ｔを受信するとともに、当該マクロ基地局１００に対して端末能力情報（UE Capability）ＵＣおよび受信電力値Ｒを送信する。制御部４３０は、端末能力情報通知部４３２、受信品質測定部４３４、受信品質補正部４３６、受信品質通知部４３８、および接続部４４０を要素として内包し、ＩＲＣ実行部を備えない。無線通信部４１０および制御部４３０の動作の詳細は後述される。
【００３７】
図４は、本発明の実施形態に係るマクロ基地局１００の構成を示すブロック図である。マクロ基地局１００は、無線通信部１１０と基地局通信部１２０と制御部１３０とを備える。
【００３８】
無線通信部１１０は、ユーザ端末ＵＥと無線通信を実行するための要素であり、送受信アンテナ１１２と、ユーザ端末ＵＥから電波を受信して電気信号に変換する受信回路と、音声信号等の電気信号を電波に変換して送信する送信回路とを含む。また、無線通信部１１０は、マクロ基地局１００に在圏するＩＲＣ端末３００に対して第１バイアス値αおよび接続先セル情報Ｔを示す無線信号を送信し、マクロ基地局１００に在圏する非ＩＲＣ端末４００に対して第２バイアス値βおよび接続先セル情報Ｔを示す無線信号を送信し、各ユーザ端末ＵＥから端末能力情報ＵＣおよび受信電力値Ｒを示す無線信号を受信する（詳細は後述される）。
基地局通信部１２０は、他の無線基地局（マクロ基地局１００，ピコ基地局２００）と通信を実行するための要素であり、他の無線基地局との間で電気信号を送受信する。マクロ基地局１００が他の無線基地局と無線にて通信を行う場合は、無線通信部１１０が基地局通信部１２０を兼ねることも可能であることは当然に理解される。
【００３９】
制御部１３０は、判定部１３２、バイアス値設定部１３４、バイアス値通知部１３６、および接続先選択部１３８を要素として内包する。制御部１３０ならびに制御部１３０が内包する判定部１３２、バイアス値設定部１３４、バイアス値通知部１３６、および接続先選択部１３８は、マクロ基地局１００内の図示しないＣＰＵが、図示しない記憶部に記憶されたコンピュータプログラムを実行し、そのコンピュータプログラムに従って機能することにより実現される機能ブロックである。制御部１３０の動作の詳細は後述される。
【００４０】
図５は、本発明の実施形態に係るピコ基地局２００の構成を示すブロック図である。ピコ基地局２００は、無線通信部２１０と基地局通信部２２０と制御部２３０とを備える。
【００４１】
無線通信部２１０は、ユーザ端末ＵＥと無線通信を実行するための要素であり、送受信アンテナ２１２と、ユーザ端末ＵＥから電波を受信して電気信号に変換する受信回路と、音声信号等の電気信号を電波に変換して送信する送信回路とを含む。
基地局通信部２２０は、ピコ基地局２００自身が接続されるマクロ基地局１００と通信を実行するための要素であり、マクロ基地局１００との間で電気信号を送受信する。なお、ピコ基地局２００がマクロ基地局１００と無線にて通信する場合には、無線通信部２１０が基地局通信部２２０を兼ねてもよい。
【００４２】
ピコ基地局２００は、マクロ基地局１００が送信した情報（補正値（α，β）または接続先セル情報Ｔ等）を受信してユーザ端末ＵＥに転送でき、ユーザ端末ＵＥが送信した情報（端末能力情報ＵＣまたは受信電力値Ｒ等）を受信してマクロ基地局１００に転送できる。
具体的には、ピコ基地局２００の基地局通信部２２０がマクロ基地局１００から受信した情報（補正値（α，β）または接続先セル情報Ｔ等）を示す電気信号を、制御部２３０が無線通信部２１０に供給する。無線通信部２１０は、供給された電気信号を電波に変換してユーザ端末ＵＥに対して送信する。また、ピコ基地局２００の無線通信部２１０が受信・変換して得た端末能力情報ＵＣまたは受信電力値Ｒ等を示す電気信号を、制御部２３０が基地局通信部２２０に供給する。基地局通信部２２０は、供給された電気信号をマクロ基地局１００に対して送信する。以上の構成により、ユーザ端末ＵＥがピコ基地局２００に近接しているためマクロ基地局１００との無線通信が困難である場合でも、ユーザ端末ＵＥとマクロ基地局１００との間で必要な情報を送受信することが可能となる。
なお、ピコ基地局２００の制御部２３０は、ピコ基地局２００内の図示しないＣＰＵが、図示しない記憶部に記憶されたコンピュータプログラムを実行し、そのコンピュータプログラムに従って機能することにより実現される機能ブロックである。
【００４３】
図６を参照して、本実施形態に係る受信電力（受信品質）の補正動作を説明する。
ユーザ端末ＵＥが、在圏するマクロ基地局１００に対して端末能力情報ＵＣを送信（通知）する（Ｓ１００）。ユーザ端末ＵＥがＩＲＣ端末３００である場合、端末能力情報通知部３３２が無線通信部３１０を介して送信する端末能力情報ＵＣは、そのＩＲＣ端末３００自身が干渉抑圧合成を実行可能であることを示す情報を含む。具体的には、例えば、端末能力情報通知部３３２が、端末能力情報ＵＣに対応する上りリンク制御信号のうち干渉抑圧合成可否を示すビットに、干渉抑圧合成が可能であることを意味する「１」を設定する。
【００４４】
他方、ユーザ端末ＵＥが非ＩＲＣ端末４００である場合、端末能力情報通知部４３２が無線通信部４１０を介して送信する端末能力情報ＵＣは、その非ＩＲＣ端末４００自身が干渉抑圧合成を実行可能であることを示す情報を含まない。具体的には、例えば、端末能力情報通知部４３２は、端末能力情報ＵＣに対応する上りリンク制御信号のうち干渉抑圧合成可否を示すビットに干渉抑圧合成を実行不可能であることを意味する「０」を設定する。また、非ＩＲＣ端末４００が準拠する通信規格において、制御信号にＩＲＣ受信可否を示すビットが含まれない場合（すなわち、ＩＲＣ受信について規定されていない場合）には、端末能力情報ＵＣに干渉抑圧合成を実行可能である情報が元々含まれないから、その非ＩＲＣ端末４００の端末能力情報通知部４３２は端末能力情報ＵＣをマクロ基地局１００に単に通知すればよい。
【００４５】
マクロ基地局１００の判定部１３２が、ユーザ端末ＵＥから報告された端末能力情報ＵＣに基づいて、そのユーザ端末ＵＥがＩＲＣ端末３００であるか非ＩＲＣ端末４００であるかを判定する（Ｓ１１０）。端末能力情報ＵＣが干渉抑圧合成を実行可能であることを示す情報を含む場合には、判定部１３２は、そのユーザ端末ＵＥがＩＲＣ端末３００であると判定する。一方、端末能力情報ＵＣが干渉抑圧合成を実行可能であることを示す情報を含まない場合には、判定部１３２は、そのユーザ端末ＵＥが非ＩＲＣ端末４００であると判定する。判定結果はバイアス値設定部１３４に伝達される。
【００４６】
マクロ基地局１００のバイアス値設定部１３４が、判定部１３２の判定に基づき、そのユーザ端末ＵＥがＩＲＣ端末３００である場合には第１バイアス値αを設定し、そのユーザ端末ＵＥが非ＩＲＣ端末４００である場合には第２バイアス値βを設定する（Ｓ１２０）。第１バイアス値αは第２バイアス値βよりも高く設定される（α＞β）。そのようなバイアス値（α，β）による作用効果は後に詳述される。
【００４７】
バイアス値通知部１３６は、設定された第１バイアス値αを無線通信部１１０を介してＩＲＣ端末３００に送信（通知）する。他方、バイアス値通知部１３６は、設定された第２バイアス値βを無線通信部１１０を介して非ＩＲＣ端末４００に送信（通知）する（Ｓ１３０）。
【００４８】
ユーザ端末ＵＥ（３００，４００）の受信品質測定部（３３４，４３４）は、電波の受信品質として、マクロ基地局１００から受信した電波の受信電力（例えば、参照信号受信電力。Reference Signal Received Power，ＲＳＲＰ）を測定して第１受信電力値Ｒ１を取得する一方、ピコ基地局２００から受信した電波の受信電力を測定して第２受信電力値Ｒ２を取得する（Ｓ１４０）。
【００４９】
ＩＲＣ端末３００の受信品質補正部３３６は、ピコ基地局２００からの電波の受信電力値Ｒ２を、バイアス値通知部１３６から通知された第１バイアス値αを用いて補正する（Ｓ１５０）。具体的には、受信品質補正部３３６は、ピコ基地局２００からの電波の受信電力値Ｒ２に第１バイアス値αを加算して、補正後の第２受信品質値（Ｒ２＋α）を取得する。すなわち、図９に示すように、ピコ基地局２００については、ＩＲＣ端末３００における電波の受信品質値Ｒ２が第１バイアス値αによりオフセットされて、補正後の第２受信電力値（Ｒ２＋α）となる。
同様に、非ＩＲＣ端末４００の受信品質補正部４３６は、ピコ基地局２００からの電波の第２受信電力値Ｒ２をバイアス値通知部１３６から通知された第２バイアス値βを用いて補正する（Ｓ１５０）。具体的には、上述のＩＲＣ端末３００の例と同様にして、補正後の第２受信電力値（Ｒ２＋β）が取得される。
【００５０】
ＩＲＣ端末３００の受信品質通知部３３８は、第１受信電力値Ｒ１と、補正された第２受信電力値（Ｒ２＋α）とを無線通信部３１０を介してマクロ基地局１００に送信（通知）する（Ｓ１６０）。同様にして、非ＩＲＣ端末４００の受信品質通知部４３８は、第１受信電力値Ｒ１と、補正された第２受信電力値（Ｒ２＋β）とを無線通信部４１０を介してマクロ基地局１００に送信（通知）する（Ｓ１６０）。通知された各受信電力値（Ｒ１およびＲ２＋α、またはＲ１およびＲ２＋β）は、無線通信部１１０を介して接続先選択部１３８に供給される。
【００５１】
マクロ基地局１００の接続先選択部１３８は、ユーザ端末ＵＥ（ＩＲＣ端末３００または非ＩＲＣ端末４００）から通知された第１受信電力値Ｒ１および第２受信電力値（Ｒ２＋αまたはＲ２＋β）のうち、最も高い受信電力を示す受信電力値（すなわち、最も良好な受信品質を示す受信品質値）に対応する無線基地局（マクロ基地局１００またはピコ基地局２００）を、そのユーザ端末ＵＥの無線接続先として選択する（Ｓ１７０）。
例えば、ＩＲＣ端末３００については、第１受信電力値Ｒ１と、第１バイアス値αにて補正された第２受信電力値（Ｒ２＋α）とが比較される。第１受信電力値Ｒ１よりも補正された第２受信電力値（Ｒ２＋α）が大きい場合には（Ｒ１＜Ｒ２＋α）、接続先選択部１３８は、補正された第２受信電力値（Ｒ２＋α）に対応するピコ基地局２００をそのＩＲＣ端末３００の接続先として選択する。
【００５２】
接続先選択部１３８は、選択した無線接続先を示す接続先セル情報Ｔを、無線通信部１１０を介してユーザ端末ＵＥに通知する（Ｓ１８０）。
ステップＳ１９０で、ユーザ端末ＵＥの接続部（３４０、４４０）は、マクロ基地局１００から受信した接続先セル情報Ｔが示す接続先セルに対して接続動作を実行する（既に接続先セル情報Ｔが示す接続先セルに接続している場合は、その接続を維持する）。例えば、ユーザ端末ＵＥがマクロセルＣｍに接続している場合において、ピコセルＣｐを接続先として指定する接続先セル情報Ｔを接続部（３４０、４４０）が受信すると、接続部（３４０、４４０）は、指定されたピコセルＣｐへとユーザ端末ＵＥ自身を接続（オフロード）させる。
【００５３】
図７および図８は、以上に説明した補正動作によるピコセルＣｐの範囲（ピコ基地局２００からの受信電力値Ｒ２が、マクロ基地局１００からの受信電力値Ｒ１を上回る範囲）の変化を示す図である。図７および図８において、原点ＯがピコセルＣｐの中心点（すなわち、ピコ基地局２００が配置されるマクロセルＣｍ内の位置）であり、半径ｒ０がバイアス値（α，β）による補正がされる前のピコセルＣｐの半径である。また、図７および図８において、マクロ基地局１００からの送信電力（干渉電力）等の外部環境は共通であり、ユーザ端末ＵＥの種別（ＩＲＣ端末３００または非ＩＲＣ端末４００）が相違すると想定する。
【００５４】
図７においては、ＩＲＣ端末３００に関して、ピコ基地局２００からの電波の受信電力値Ｒ２が第１バイアス値αで補正された結果、ピコセルＣｐの半径がｒ０からｒ１に拡張している。一方、図８においては、非ＩＲＣ端末４００に関して、ピコ基地局２００からの電波の受信電力値Ｒ２が第２バイアス値βで補正された結果、ピコセルＣｐの半径がｒ０からｒ２に拡張している。すなわち、受信品質補正部（３３６，４３６）による受信電力値Ｒ２の補正（バイアス値（α，β）による増加）は、各ユーザ端末ＵＥにおけるピコ基地局２００からの受信電力を擬似的に上昇させることで、ピコ基地局２００が形成するピコセルＣｐの範囲を拡張させるように作用する。
【００５５】
前述のように、第１バイアス値αが第２バイアス値βを上回る（α＞β）ことから、第１バイアス値αによる拡張後のピコセルＣｐの半径ｒ１は、第２バイアス値βによる拡張後のピコセルＣｐの半径ｒ２を上回る。
また、以上から理解されるように、仮にピコ基地局２００からの電波の受信電力値Ｒ２が一定であったとしても、ユーザ端末ＵＥごとにピコセルＣｐの半径ｒ（ｒ１，ｒ２）が相違し得る。
【００５６】
図９は、図７および図８を参照して説明したピコセルＣｐの範囲の変化を、マクロ基地局１００との関係も含めて説明する図である。前述のように、ユーザ端末ＵＥは、マクロ基地局１００およびピコ基地局２００から電波を受信して受信電力を測定する。図９に示すように、測定される受信電力値（Ｒ１，Ｒ２）は各無線基地局から遠ざかるほど低下する。
【００５７】
まず、ユーザ端末ＵＥが、原点Ｏを中心とした半径ｒ２の範囲から、原点Ｏを中心とした半径ｒ０の範囲を除いた範囲（第２バイアス値βによる拡張後のピコセルＣｐの範囲から拡張前のピコセルＣｐの範囲を除いた範囲）に位置すると想定する。そのユーザ端末ＵＥにおいては、ピコ基地局２００からの受信電力値Ｒ２がマクロ基地局１００からの受信電力値Ｒ１を下回るが、受信電力値Ｒ２を第１バイアス値αまたは第２バイアス値βで補正した値（Ｒ２＋αまたはＲ２＋β）は受信電力値Ｒ１を上回る。したがって、そのユーザ端末ＵＥがＩＲＣ端末３００と非ＩＲＣ端末４００とのいずれであっても、マクロ基地局１００の接続先選択部１３８は、ピコ基地局２００を無線接続先として選択する。
【００５８】
次に、ユーザ端末ＵＥが、原点Ｏを中心とした半径ｒ１の範囲から、原点Ｏを中心とした半径ｒ２の範囲を除いた範囲（第１バイアス値αによる拡張後のピコセルＣｐの範囲から第２バイアス値βによる拡張後のピコセルＣｐの範囲を除いた範囲）に位置すると想定する。そのユーザ端末ＵＥにおいては、受信電力値Ｒ２を第１バイアス値αで補正した値（Ｒ２＋α）は受信電力値Ｒ１を上回るが、受信電力値Ｒ２を第２バイアス値βで補正した値（Ｒ２＋β）は受信電力値Ｒ１を下回る。したがって、そのユーザ端末ＵＥがＩＲＣ端末３００である場合には、接続先選択部１３８はピコ基地局２００を無線接続先として選択するが、非ＩＲＣ端末４００である場合には、接続先選択部１３８はマクロ基地局１００を無線接続先として選択する。
【００５９】
以上の範囲（原点Ｏを中心とした半径ｒ１の範囲から、原点Ｏを中心とした半径ｒ２の範囲を除いた範囲）においては、第１受信電力値Ｒ１（マクロ基地局１００からの干渉電力）が補正前の第２受信電力値Ｒ２を大きく上回るが、ＩＲＣ端末３００は干渉抑圧合成を実行してマクロ基地局１００からの干渉電力を抑圧することができるから、ピコ基地局２００からの電波を品質良く受信することが可能である。
他方、非ＩＲＣ端末４００は干渉抑圧合成を実行可能ではないから、ピコ基地局２００からの電波を品質良く受信できない。したがって、非ＩＲＣ端末４００はマクロ基地局１００に接続され、より品質の良いマクロ基地局１００からの電波を受信する。
【００６０】
以上に説明した実施の形態によれば、マクロ基地局１００からの受信電力値Ｒ１（補正されない）と、バイアス値を用いて補正されたピコ基地局２００からの受信電力値（Ｒ２＋α，Ｒ２＋β）とに基づいて、接続先選択部１３８が、そのユーザ端末ＵＥが接続すべき無線基地局を選択するから、バイアス値による受信電力値の補正がされない構成と比較して、ユーザ端末ＵＥの接続先としてピコ基地局２００が選択される（ユーザ端末ＵＥがピコ基地局２００にオフロードされる）ケースが増大し得る。
【００６１】
また、ＩＲＣ端末３００に対する第１バイアス値αが、非ＩＲＣ端末４００に対する第２バイアス値βよりも高く設定されるから、ＩＲＣ端末３００の接続先としてピコ基地局２００が選択されるケースが増大し得る。すなわち、ＩＲＣ端末３００については、干渉抑圧合成が可能であるという特徴を活用してピコセルＣｐの範囲を拡張し、ピコ基地局２００に接続され易くすることで、マクロ基地局１００への無線接続の集中が抑制され得る。他方、非ＩＲＣ端末４００については、ＩＲＣ端末３００よりもピコセルＣｐの範囲が狭く設定されることにより、マクロ基地局１００からの干渉電力の影響が抑制されるので、所望信号の受信品質が高く維持され得る。
【００６２】
すなわち、ユーザ端末ＵＥの種別（ＩＲＣ端末３００または非ＩＲＣ端末４００）に応じてバイアス値が設定されるので、複数種別のユーザ端末ＵＥが混在する環境において、ピコ基地局２００へのオフロード効果と、所望信号の高い受信品質およびユーザスループットの維持との双方が実現され得る。
【００６３】
変形例
以上の実施の形態は多様に変形される。具体的な変形の態様を以下に例示する。以下の例示から任意に選択された２以上の態様は相互に矛盾しない限り適宜に併合され得る。
【００６４】
（１）変形例１
以上の実施形態では、マクロ基地局１００の制御部１３０が接続先選択部１３８を備える。しかしながら、図１０および図１１に示すように、ＩＲＣ端末３００および非ＩＲＣ端末４００の各々が接続先選択部（３４４，４４２）を備えてもよい。以上の場合、マクロ基地局１００の制御部１３０が接続先選択部１３８を備えなくてもよいことは当然に理解される。
【００６５】
（２）変形例２
以上の実施形態では、マクロ基地局１００のバイアス値設定部１３４が、第２バイアス値βを０でない正の値（β＞０）であるように設定する。しかしながら、バイアス値設定部１３４が、第２バイアス値βを０に設定してもよい（β＝０）。
また、バイアス値設定部１３４が第１バイアス値αのみを設定し、第２バイアス値βを設定しなくてもよい。以上の場合、バイアス値通知部１３６は非ＩＲＣ端末４００に第２バイアス値βを通知しなくてもよく、非ＩＲＣ端末４００はピコ基地局２００からの電波の第２受信電力値Ｒ２を補正しなくてもよい。すなわち、第１バイアス値αのみが設定・通知され、ＩＲＣ端末３００のみにおいて第２受信電力値Ｒ２の補正が実行される構成も採用され得る。以上の構成によれば、ＩＲＣ端末３００のみで第２受信電力値Ｒ２の補正が実行されるから、構成が簡易となる。
しかしながら、第２バイアス値βが０でない正の値に設定され、第２受信電力値Ｒ２が補正される実施形態の構成によれば、非ＩＲＣ端末４００であってもピコ基地局２００にオフロードされる可能性が高くなるから、マクロ基地局１００への無線接続の集中を抑制する観点からは、実施形態の構成の方が好適である。
【００６６】
（３）変形例３
以上の実施形態では、マクロ基地局１００のバイアス値設定部１３４が、第１バイアス値αおよび第２バイアス値βをそれぞれ個別に設定する。以上の構成において、バイアス値設定部１３４が、ＩＲＣ端末３００における無線通信の成功確率（例えば、Ａｃｋ／Ｎａｃｋ（ＡｃｋとＮａｃｋとの比））に応じて、そのＩＲＣ端末３００に対する第１バイアス値αを設定してもよい。特に、複数のＩＲＣ端末３００が存在する場合において、ＩＲＣ端末３００ごとに第１バイアス値αが設定されると好適である。以上の構成によれば、ＩＲＣ端末３００ごとの通信環境に応じて第１バイアス値αが適切に設定され得る。
【００６７】
（４）変形例４
マクロ基地局１００のバイアス値設定部１３４が、非ＩＲＣ端末４００に対する第２バイアス値βに所定値γを加算することにより、ＩＲＣ端末４００に対する第１バイアス値α（α＝β＋γ）を設定してもよい。以上の構成によれば、バイアス値設定部１３４が第１バイアス値αおよび第２バイアス値βをそれぞれ個別に設定する構成と比較して、構成が簡易となる。
【００６８】
（５）変形例５
以上の実施形態では、電波の受信品質として参照信号受信電力（ＲＳＲＰ）が採用されたが、信号対干渉雑音比（Signal-to-Interference and Noise Ratio，ＳＩＮＲ）、参照信号受信品質（Reference Signal Received Quality）等が受信品質として採用されても良い。また、受信品質値が比で表される場合には、受信品質値にバイアス値が乗算されて補正後の受信品質値が算出されてもよい。
また、受信品質値がｄＢ（比の対数）で表される場合には、ｄＢで表された受信品質値に対しｄＢで表されたバイアス値を加算して補正後の受信品質値を算出してもよい。以上の形態が受信品質値にバイアス値を乗算する形態の一種であることは当然に理解される。
【００６９】
（６）変形例６
以上の実施の形態では、マクロ基地局１００よりも送信能力の低い無線基地局としてピコ基地局２００が例示されたが、マイクロ基地局、ナノ基地局、フェムト基地局、リモートラジオヘッド等が送信能力の低い無線基地局として採用されてもよい。また、無線通信システム１の要素として、相異なる送信能力を有する複数の無線基地局の組合せ（例えば、マクロ基地局、ピコ基地局、およびフェムト基地局の組合せ）が採用されてもよい。
【００７０】
（７）変形例７
ユーザ端末ＵＥ（ＩＲＣ端末３００および非ＩＲＣ端末４００）は、各無線基地局（マクロ基地局１００，ピコ基地局２００）と無線通信が可能な任意の装置である。ユーザ端末ＵＥは、例えばフィーチャーフォンまたはスマートフォン等の携帯電話端末でもよく、デスクトップ型パーソナルコンピュータでもよく、ノート型パーソナルコンピュータでもよく、ＵＭＰＣ（Ultra-Mobile Personal Computer）でもよく、携帯用ゲーム機でもよく、その他の無線端末でもよい。
【００７１】
（８）変形例８
無線通信システム１内の各要素（マクロ基地局１００、ピコ基地局２００、ユーザ端末ＵＥ）においてＣＰＵが実行する各機能は、ＣＰＵの代わりに、ハードウェアで実行してもよいし、例えばＦＰＧＡ（Field Programmable Gate Array）、ＤＳＰ（Digital Signal Processor）等のプログラマブルロジックデバイスで実行してもよい。
【符号の説明】
【００７２】
１……無線通信システム、１００……マクロ基地局、１１０……無線通信部、１２０……基地局通信部、１３０……制御部、１３２……判定部、１３４……バイアス値設定部、１３６……バイアス値通知部、１３８……接続先選択部、２００……ピコ基地局、２１０……無線通信部、２２０……基地局通信部、２３０……制御部、３００……ＩＲＣ端末、３１０……無線通信部、３３０……制御部、３３２……端末能力情報通知部、３３４……受信品質測定部、３３６……受信品質補正部、３３８……受信品質通知部、３４０……接続部、３４２……ＩＲＣ実行部、４００……非ＩＲＣ端末、４１０……無線通信部、４３０……制御部、４３２……端末能力情報通知部、４３４……受信品質測定部、４３６……受信品質補正部、４３８……受信品質通知部、４４０……接続部、α，β……バイアス値、γ……所定値、Ｃ……セル、Ｃｍ……マクロセル、Ｃｐ……ピコセル、Ｏ……原点、Ｒ（Ｒ１，Ｒ２）……受信電力値、Ｔ……接続先セル情報、ＵＣ……端末能力情報、ＵＥ……ユーザ端末、ｒ（ｒ０〜ｒ２）……半径。
【図１】
0005554306.tif 000002
【図２】
0005554306.tif 000003
【図３】
0005554306.tif 000004
【図４】
0005554306.tif 000005
【図５】
0005554306.tif 000006
【図６】
0005554306.tif 000007
【図７】
0005554306.tif 000008
【図８】
0005554306.tif 000009
【図９】
0005554306.tif 000010
【図１０】
0005554306.tif 000011
【図１１】
0005554306.tif 000012